(57)【要約】【課題】本発明は耐熱手袋用汚染除去装置を開示した。【解決手段】汚染除去器を含み、前記汚染除去器の中にはＵ字型溝が設けられ、前記Ｕ字型溝の中には駆動機構が設けられ、前記駆動機構がバッテリーと、ロングロッドと駆動傘歯車とを含み、前記バッテリーによって装置全体に電力を提供し、前記駆動機構を中心として二つの連動機構が左右に対称的に設けられ、前記連動機構が斜ロッドと、梯形ブロックと一方向ブロックとを含み、前記二つの斜ロッドが同時に回転すると、前記ロングロッドを駆動して上へ運動させることができ、本装置は構造が簡単で、操作が便利で、耐熱手袋の厚さと形に応じて、快速に耐熱手袋の汚染を除去できる上に、快速な乾燥を実現し、着用までの時間を節減でき、装置全体は動力源を一つだけ使い、連動性が優れている。【選択図】図１
2020175081.tif 000002
【特許請求の範囲】
【請求項１】
汚染除去器を含み、前記汚染除去器の中にはＵ字型溝が設けられ、前記Ｕ字型溝の中には駆動機構が設けられ、前記駆動機構がバッテリーと、ロングロッドと駆動傘歯車とを含み、前記バッテリーによって装置全体に電力を提供し、前記駆動機構を中心として二つの連動機構が左右に対称的に設けられ、前記連動機構が斜ロッドと、梯形ブロックと一方向ブロックとを含み、前記二つの斜ロッドが同時に回転すると、前記ロングロッドを駆動して上へ運動させることができ、前記梯形ブロックが前記一方向ブロックの上側に位置する時、前記一方向ブロックが前記梯形ブロックの下への運動を阻むことができ、前記連動機構の上側に汚染除去機構が設けられ、前記汚染除去機構が伝動傘歯車と、汚染除去軸と、三角ブロックと横ロッドとを含み、前記駆動傘歯車と前記伝動傘歯車との噛み合いによって、前記伝動傘歯車を駆動して回転させることができ、更に前記汚染除去軸を駆動して回転させ、前記三角ブロックが回転すると、前記横ロッドを駆動して運動させることができ、更に前記斜ロッドを駆動して回転させることを特徴とする耐熱手袋用汚染除去装置。
【請求項２】
前記駆動機構がロングロッドを含み、前記Ｕ字型溝の上端壁には汚染除去溝が設けられ、前記Ｕ字型溝の後端壁には駆動モータが固定的に設置され、前記駆動モータの上端面には、上端が前記汚染除去溝の中に位置する駆動軸が、動力が伝達可能なように連結され、前記駆動軸の上端には駆動傘歯車が固定的に設置され、前記駆動モータの下側には前記汚染除去溝の後端壁と固定的に設置される前記バッテリーが設けられ、前記バッテリーの下端面にはコンセントが設けられ、前記Ｕ字型溝の後端壁には昇降溝が設けられ、前記昇降溝の中には昇降ブロックがスライドできるように設けられ、前記昇降ブロックの下端面と前記昇降溝の下端壁とが昇降ばねによって固定的に設置され、前記昇降ブロックの前端面にはプラグが固定的に設置され、前記プラグと前記駆動モータが電線によって連通され、前記プラグの前端面には伝動軸が回転できるように連結され、前記伝動軸には前記ロングロッドが固定的に設置されることを特徴とする請求項１に記載の耐熱手袋用汚染除去装置。
【請求項３】
左側の前記連動機構がトーションバーを含み、前記Ｕ字型溝の後端壁には位置決めロッドが固定的に設置され、前記位置決めロッドには前記トーションバーが回転できるように設けられ、前記位置決めロッドと前記トーションバーとの間にはねじりばねが設けられ、前記トーションロッドの右端面の下側には伸縮ブロックが固定的に設置され、前記伸縮ブロックの右端面には伸縮溝が設けられ、前記伸縮溝の左端壁には伸縮ばねが固定的に設置され、前記伸縮ばねの右端には前記一方向ブロックが固定的に設置され、前記Ｕ字型溝の後端壁には引伸し溝が設けられ、前記引伸し溝の中には運動ブロックがスライドできるように設けられ、前記運動ブロックの左端面には梯形ブロックが固定的に設置され、前記運動ブロックの前端面には旋転軸が回転できるように設けられ、前記旋転軸には前記斜ロッドが固定的に設置され、前記トーションロッドの上端壁には移動溝が設けられ、前記移動溝の中にはＴ字型ブロックがスライドできるように設けられ、前記Ｔ字型ブロックの下端には前記汚染除去機構に近接している一端が前記汚染除去溝の中に位置する移動ロッドが固定的に設置され、前記汚染除去溝の後端壁には浮力溝が設けられ、前記浮力溝の中には浮力ブロックがスライドできるように設けられ、前記浮力ブロックの前端には引縄ブロックが固定的に設置され、前記引縄ブロックと前記運動ブロックとがロープによって固定されることを特徴とする請求項１に記載の耐熱手袋用汚染除去装置。
【請求項４】
前記汚染除去機構が前記三角ブロックを含み、前記汚染除去溝の左右端壁には旋転溝が左右に対称的に設けられ、前記左側旋転溝の後端壁には回転ロッドが回転できるように設けられ、前記回転ロッドには板が固定的に設置され、前記汚染除去溝の左右端壁の間には前記汚染除去軸が回転できるように設けられ、前記汚染除去軸には前記駆動傘歯車と噛み合う伝動傘歯車が固定的に設置され、前記汚染除去軸の中には弧状溝が左右に対称的に設置され、右側の前記弧状溝の後端壁には圧力軸が回転できるように設けられ、前記圧力軸の前端が前記汚染除去溝の中に位置し、前記圧力軸の前端には手袋台が固定的に設置され、前記弧状溝において前記圧力軸の上端面には圧力溝が設けられ、前記圧力溝の下端壁には圧力ばねが固定的に設置され、前記圧力ばねの上端には前記三角ブロックが固定的に設置され、前記圧力軸の右側には前記弧状溝とスライドできるように連結される移動ブロックが設けられ、前記移動ブロックの右端面には前記弧状溝の右端壁と固定的に設置される移動ばねが上下に対称的に設けられ、前記移動ブロックの右端面の中心には右端が前記Ｕ字型溝の中に位置する前記横ロッドが固定的に設置され、前記汚染除去溝の後端壁には排水器が設けられることを特徴とする請求項１に記載の耐熱手袋用汚染除去装置。
【発明の詳細な説明】
【技術分野】
【０００１】
本発明は手袋分野に関し、具体的には耐熱手袋用汚染除去装置である。
【背景技術】
【０００２】
耐熱手袋は特に食品加工用の耐熱手袋には使用中に汚染が付きやすく、専有な洗浄設備もほとんどなく、洗濯機で洗うと、その厚さにより洗浄にかかる時間も倍になり、洗浄効果も保証できず、手で洗う必要もあるかもしれない。
【先行技術文献】
【特許文献】
【０００３】
【特許文献１】中国特許出願公開第１０８０１５８１１号明細書
【発明の概要】
【発明が解決しようとする課題】
【０００４】
本発明の目的は耐熱手袋用汚染除去装置を提供し、既存の技術にある上記の欠陥を補うことにある。
【課題を解決するための手段】
【０００５】
耐熱手袋用汚染除去装置は、汚染除去器を含み、前記汚染除去器の中にはＵ字型溝が設けられ、前記Ｕ字型溝の中には駆動機構が設けられ、前記駆動機構がバッテリーと、ロングロッドと駆動傘歯車とを含み、前記バッテリーによって装置全体に電力を提供し、前記駆動機構を中心として二つの連動機構が左右に対称的に設けられ、前記連動機構が斜ロッドと、梯形ブロックと一方向ブロックとを含み、前記二つの斜ロッドが同時に回転すると、前記ロングロッドを駆動して上へ運動させることができ、前記梯形ブロックが前記一方向ブロックの上側に位置する時、前記一方向ブロックが前記梯形ブロックの下への運動を阻むことができ、前記連動機構の上側に汚染除去機構が設けられ、前記汚染除去機構が伝動傘歯車と、汚染除去軸と、三角ブロックと横ロッドとを含み、前記駆動傘歯車と前記伝動傘歯車との噛み合いによって、前記伝動傘歯車を駆動して回転させることができ、更に前記汚染除去軸を駆動して回転させ、前記三角ブロックが回転すると、前記横ロッドを駆動して運動させることができ、更に前記斜ロッドを駆動して回転させる。
【０００６】
さらなる技術プラントして、前記駆動機構がロングロッドを含み、前記Ｕ字型溝の上端壁には汚染除去溝が設けられ、前記Ｕ字型溝の後端壁には駆動モータが固定的に設置され、前記駆動モータの上端面には、上端が前記汚染除去溝の中に位置する駆動軸が、動力が伝達可能なように連結され、前記駆動軸の上端には駆動傘歯車が固定的に設置され、前記駆動モータの下側には前記汚染除去溝の後端壁と固定的に設置される前記バッテリーが設けられ、前記バッテリーの下端面にはコンセントが設けられ、前記Ｕ字型溝の後端壁には昇降溝が設けられ、前記昇降溝の中には昇降ブロックがスライドできるように設けられ、前記昇降ブロックの下端面と前記昇降溝の下端壁とが昇降ばねによって固定的に設置され、前記昇降ブロックの前端面にはプラグが固定的に設置され、前記プラグと前記駆動モータが電線によって連通され、前記プラグの前端面には伝動軸が回転できるように連結され、前記伝動軸には前記ロングロッドが固定的に設置される。
【０００７】
さらなる技術プラントして、左側の前記連動機構がトーションバーを含み、前記Ｕ字型溝の後端壁には位置決めロッドが固定的に設置され、前記位置決めロッドには前記トーションバーが回転できるように設けられ、前記位置決めロッドと前記トーションバーとの間にはねじりばねが設けられ、前記トーションロッドの右端面の下側には伸縮ブロックが固定的に設置され、前記伸縮ブロックの右端面には伸縮溝が設けられ、前記伸縮溝の左端壁には伸縮ばねが固定的に設置され、前記伸縮ばねの右端には前記一方向ブロックが固定的に設置され、前記Ｕ字型溝の後端壁には引伸し溝が設けられ、前記引伸し溝の中には運動ブロックがスライドできるように設けられ、前記運動ブロックの左端面には梯形ブロックが固定的に設置され、前記運動ブロックの前端面には旋転軸が回転できるように設けられ、前記旋転軸には前記斜ロッドが固定的に設置され、前記トーションロッドの上端壁には移動溝が設けられ、前記移動溝の中にはＴ字型ブロックがスライドできるように設けられ、前記Ｔ字型ブロックの下端には前記汚染除去機構に近接している一端が前記汚染除去溝の中に位置する移動ロッドが固定的に設置され、前記汚染除去溝の後端壁には浮力溝が設けられ、前記浮力溝の中には浮力ブロックがスライドできるように設けられ、前記浮力ブロックの前端には引縄ブロックが固定的に設置され、前記引縄ブロックと前記運動ブロックとがロープによって固定される。
【０００８】
さらなる技術プラントして、前記汚染除去機構が前記三角ブロックを含み、前記汚染除去溝の左右端壁には旋転溝が左右に対称的に設けられ、前記左側旋転溝の後端壁には回転ロッドが回転できるように設けられ、前記回転ロッドには板が固定的に設置され、前記汚染除去溝の左右端壁の間には前記汚染除去軸が回転できるように設けられ、前記汚染除去軸には前記駆動傘歯車と噛み合う伝動傘歯車が固定的に設置され、前記汚染除去軸の中には弧状溝が左右に対称的に設置され、右側の前記弧状溝の後端壁には圧力軸が回転できるように設けられ、前記圧力軸の前端が前記汚染除去溝の中に位置し、前記圧力軸の前端には手袋台が固定的に設置され、前記弧状溝において前記圧力軸の上端面には圧力溝が設けられ、前記圧力溝の下端壁には圧力ばねが固定的に設置され、前記圧力ばねの上端には前記三角ブロックが固定的に設置され、前記圧力軸の右側には前記弧状溝とスライドできるように連結される移動ブロックが設けられ、前記移動ブロックの右端面には前記弧状溝の右端壁と固定的に設置される移動ばねが上下に対称的に設けられ、前記移動ブロックの右端面の中心には右端が前記Ｕ字型溝の中に位置する前記横ロッドが固定的に設置され、前記汚染除去溝の後端壁には排水器が設けられる。
【発明の効果】
【０００９】
本発明の有益効果は：本装置は構造が簡単で、操作が便利で、耐熱手袋の厚さと形に応じて、快速に耐熱手袋の汚染を除去できる上に、快速な乾燥を実現し、着用までの時間を節減できる。装置全体は動力源を一つだけ使い、連動性が優れている。
【図面の簡単な説明】
【００１０】
【図１】図１は本発明の耐熱手袋用汚染除去装置の全体断面の正面構造概略図
【図２】図２は本発明の耐熱手袋用汚染除去装置のロングロッドの拡大構造概略図
【図３】図３は本発明の耐熱手袋用汚染除去装置の圧力軸の正面断面構造概略図
【発明を実施するための形態】
【００１１】
下記に図１〜３を合わせて本発明について詳しく説明する。意思疎通の便利を図って、下記に記載の上下左右前後方向は図１の投影関係の上下左右前後方向と一致している。
【００１２】
図１−３を参照し、本発明が提供する実施例：耐熱手袋用汚染除去装置は、汚染除去器１０を含み、前記汚染除去器の中にはＵ字型溝２５が設けられ、前記Ｕ字型溝２５の中には駆動機構７０が設けられ、前記駆動機構７０がバッテリー５２と、ロングロッド４５と駆動傘歯車４４とを含み、前記バッテリー５２によって装置全体に電力を提供し、前記駆動機構７０を中心として二つの連動機構７１が左右に対称的に設けられ、前記連動機構７１が斜ロッド１１と、梯形ブロック１４と一方向ブロック１９とを含み、前記二つの斜ロッド１１が同時に回転すると、前記ロングロッド４５を駆動して上へ運動させることができ、前記梯形ブロック１４が前記一方向ブロック１９の上側に位置する時、前記一方向ブロック１９が前記梯形ブロック１４の下への運動を阻むことができ、前記連動機構７１の上側に汚染除去機構７２が設けられ、前記汚染除去機構７２が伝動傘歯車３５と、汚染除去軸４７と、三角ブロック３７と横ロッド３９とを含み、前記駆動傘歯車４４と前記伝動傘歯車３５との噛み合いによって、前記伝動傘歯車３５を駆動して回転させることができ、更に前記汚染除去軸４７を駆動して回転させ、前記三角ブロック３７が回転すると、前記横ロッド３９を駆動して運動させることができ、更に前記斜ロッド１１を駆動して回転させる。
【００１３】
有益的には、前記駆動機構７０がロングロッド４５を含み、前記Ｕ字型溝２５の上端壁には汚染除去溝４６が設けられ、前記Ｕ字型溝２５の後端壁には駆動モータ４９が固定的に設置され、前記駆動モータ４９の上端面には、上端が前記汚染除去溝４６の中に位置する駆動軸５０が、動力が伝達可能なように連結され、前記駆動軸５０の上端には駆動傘歯車４４が固定的に設置され、前記駆動モータ４９の下側には前記汚染除去溝４６の後端壁と固定的に設置される前記バッテリー５２が設けられ、前記バッテリー５２の下端面にはコンセント５１が設けられ、前記Ｕ字型溝２５の後端壁には昇降溝５５が設けられ、前記昇降溝５５の中には昇降ブロック５４がスライドできるように設けられ、前記昇降ブロック５４の下端面と前記昇降溝５５の下端壁とが昇降ばね５６によって固定的に設置され、前記昇降ブロック５４の前端面にはプラグ５７が固定的に設置され、前記プラグ５７と前記駆動モータ４９が電線４８によって連通され、前記プラグ５７の前端面には伝動軸５３が回転できるように連結され、前記伝動軸５３には前記ロングロッド４５が固定的に設置される。
【００１４】
有益的には、左側の前記連動機構７１がトーションバー２４を含み、前記Ｕ字型溝２５の後端壁には位置決めロッド２２が固定的に設置され、前記位置決めロッド２２には前記トーションバー２４が回転できるように設けられ、前記位置決めロッド２２と前記トーションバー２４との間にはねじりばね２３が設けられ、前記トーションロッド２４の右端面の下側には伸縮ブロック１６が固定的に設置され、前記伸縮ブロック１６の右端面には伸縮溝１７が設けられ、前記伸縮溝１７の左端壁には伸縮ばね１８が固定的に設置され、前記伸縮ばね１８の右端には前記一方向ブロック１９が固定的に設置され、前記Ｕ字型溝２５の後端壁には引伸し溝１５が設けられ、前記引伸し溝１５の中には運動ブロック１２がスライドできるように設けられ、前記運動ブロック１２の左端面には梯形ブロック１４が固定的に設置され、前記運動ブロック１２の前端面には旋転軸１３が回転できるように設けられ、前記旋転軸１３には前記斜ロッド１１が固定的に設置され、前記トーションロッド２４の上端壁には移動溝２８が設けられ、前記移動溝２８の中にはＴ字型ブロック２７がスライドできるように設けられ、前記Ｔ字型ブロック２７の下端には前記汚染除去機構７２に近接している一端が前記汚染除去溝４６の中に位置する移動ロッド２６が固定的に設置され、前記汚染除去溝４６の後端壁には浮力溝３４が設けられ、前記浮力溝３４の中には浮力ブロック３３がスライドできるように設けられ、前記浮力ブロック３３の前端には引縄ブロック３２が固定的に設置され、前記引縄ブロック３２と前記運動ブロック１２とがロープ２１によって固定される。
【００１５】
有益的には、前記汚染除去機構７２が前記三角ブロック３７を含み、前記汚染除去溝４６の左右端壁には旋転溝２９が左右に対称的に設けられ、前記左側旋転溝２９の後端壁には回転ロッド３０が回転できるように設けられ、前記回転ロッド３０には板３１が固定的に設置され、前記汚染除去溝４６の左右端壁の間には前記汚染除去軸４７が回転できるように設けられ、前記汚染除去軸４７には前記駆動傘歯車４４と噛み合う伝動傘歯車３５が固定的に設置され、前記汚染除去軸４７の中には弧状溝３６が左右に対称的に設置され、右側の前記弧状溝３６の後端壁には圧力軸４１が回転できるように設けられ、前記圧力軸４１の前端が前記汚染除去溝４６の中に位置し、前記圧力軸４１の前端には手袋台５８が固定的に設置され、前記弧状溝３６において前記圧力軸４１の上端面には圧力溝４２が設けられ、前記圧力溝４２の下端壁には圧力ばね４３が固定的に設置され、前記圧力ばね４３の上端には前記三角ブロック３７が固定的に設置され、前記圧力軸４１の右側には前記弧状溝３６とスライドできるように連結される移動ブロック３８が設けられ、前記移動ブロック３８の右端面には前記弧状溝３６の右端壁と固定的に設置される移動ばね４０が上下に対称的に設けられ、前記移動ブロック３８の右端面の中心には右端が前記Ｕ字型溝２５の中に位置する前記横ロッド３９が固定的に設置され、前記汚染除去溝４６の後端壁には排水器５９が設けられる。
【００１６】
これから、図１−３と上記に記載の耐熱手袋用汚染除去装置の具体的構成を参照して、本願発明の耐熱手袋用汚染除去装置の使用方法を詳しく紹介する：
【００１７】
前記板３１を開け、二つの耐熱手袋を前記手袋台５８に嵌め、両側へ二つの前記手袋台５８を回し、前記圧力軸４１を回転駆動させ、更に前記三角ブロック３７を駆動して前記移動ブロック３８の場所まで回転させ、前記移動ブロック３８を押し動かして運動させ、前記汚染除去溝４６の中に汚染除去液を注ぎ、一定程度注いだら、前記引縄ブロック３２が浮力を受けて上昇し、これにより前記ロープ２１を引き動かし、前記ロープ２１が前記運動ブロック１２を引き動かして上昇させ、前記運動ブロック１２が前記梯形ブロック１４を駆動して前記一方向ブロック１９の上側まで上昇させ、これにより前記斜ロッド１１を駆動して上昇させ、前記斜ロッド１１が前記横ロッド３９によって押し動かされて回転し、二つの前記斜ロッド１１が同時に回転し、これにより前記ロングロッド４５を押し動かして上昇させ、一つだけの前記斜ロッド１１が回転する時、前記ロングロッド４５が回転するものの、上昇はしなく、前記ロングロッド４５が前記プラグ５７を駆動して上昇させて前記コンセント５１の中に挿し込ませ、前記電線４８の伝導を通じて、前記バッテリー５２によって前記駆動モータ４９に電気を通して起動させ、これにより前記駆動軸５０を回転駆動させ、前記駆動軸５０が前記駆動傘歯車４４を回転駆動させ、前記駆動傘歯車４４と前記伝導傘歯車３５との噛み合いによって、前記伝動傘歯車３５を回転駆動させ、これにより前記汚染除去軸４７を回転駆動させ、前記汚染除去軸４７が耐熱手袋を回転駆動させ、これにより耐熱手袋に対して旋転式汚染除去を行い、汚染除去を終えて乾燥しようとする場合、前記板３１を閉め、前記排水器５９をオンして防水を行い、前記引縄ブロック３２を駆動して下降させ、前記ロープ２１を緩め、前記梯形ブロック１４が下降して前記一方向ブロック１９によって阻まれ、液体を全部排出した時、手袋が引き続き旋転して乾燥を行い、
汚染除去を終えて乾燥しなくていい場合、前記板３１を開け、前記位置決めロッド２２が復帰し、前記トーションバー２４を駆動して回転させ、前記一方向ブロック１９が前記梯形ブロック１４を阻まない場所まで運動し、液体を排出した時、手袋の回転が停止する。
【００１８】
本発明の有益効果は：本装置は構造が簡単で、操作が便利で、耐熱手袋の厚さと形に応じて、快速に耐熱手袋の汚染を除去できる上に、快速な乾燥を実現し、着用までの時間を節減できる。装置全体は動力源を一つだけ使い、連動性が優れている。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175081.tif 000003
【図２】
2020175081.tif 000004
【図３】
2020175081.tif 000005
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
汚染除去器を含み、前記汚染除去器の中にはＵ字型溝が設けられ、前記Ｕ字型溝の中には駆動機構が設けられ、前記駆動機構がバッテリーと、ロングロッドと駆動傘歯車とを含み、前記バッテリーによって装置全体に電力を提供し、前記駆動機構を中心として二つの連動機構が左右に対称的に設けられ、前記連動機構が斜ロッドと、梯形ブロックと一方向ブロックとを含み、前記二つの斜ロッドが同時に回転すると、前記ロングロッドを駆動して上へ運動させることができ、前記梯形ブロックが前記一方向ブロックの上側に位置する時、前記一方向ブロックが前記梯形ブロックの下への運動を阻むことができ、前記連動機構の上側に汚染除去機構が設けられ、前記汚染除去機構が伝動傘歯車と、汚染除去軸と、三角ブロックと横ロッドとを含み、前記駆動傘歯車と前記伝動傘歯車との噛み合いによって、前記伝動傘歯車を駆動して回転させることができ、更に前記汚染除去軸を駆動して回転させ、前記三角ブロックが回転すると、前記横ロッドを駆動して運動させることができ、更に前記斜ロッドを駆動して回転させ、
前記駆動機構がロングロッドを含み、前記Ｕ字型溝の上端壁には汚染除去溝が設けられ、前記Ｕ字型溝の後端壁には駆動モータが固定的に設置され、前記駆動モータの上端面には、上端が前記汚染除去溝の中に位置する駆動軸が、動力が伝達可能なように連結され、前記駆動軸の上端には駆動傘歯車が固定的に設置され、前記駆動モータの下側には前記汚染除去溝の後端壁と固定的に設置される前記バッテリーが設けられ、前記バッテリーの下端面にはコンセントが設けられ、前記Ｕ字型溝の後端壁には昇降溝が設けられ、前記昇降溝の中には昇降ブロックがスライドできるように設けられ、前記昇降ブロックの下端面と前記昇降溝の下端壁とが昇降ばねによって固定的に設置され、前記昇降ブロックの前端面にはプラグが固定的に設置され、前記プラグと前記駆動モータが電線によって連通され、前記プラグの前端面には伝動軸が回転できるように連結され、前記伝動軸には前記ロングロッドが固定的に設置され、
左側の前記連動機構がトーションバーを含み、前記Ｕ字型溝の後端壁には位置決めロッドが固定的に設置され、前記位置決めロッドには前記トーションバーが回転できるように設けられ、前記位置決めロッドと前記トーションバーとの間にはねじりばねが設けられ、前記トーションロッドの右端面の下側には伸縮ブロックが固定的に設置され、前記伸縮ブロックの右端面には伸縮溝が設けられ、前記伸縮溝の左端壁には伸縮ばねが固定的に設置され、前記伸縮ばねの右端には前記一方向ブロックが固定的に設置され、前記Ｕ字型溝の後端壁には引伸し溝が設けられ、前記引伸し溝の中には運動ブロックがスライドできるように設けられ、前記運動ブロックの左端面には梯形ブロックが固定的に設置され、前記運動ブロックの前端面には旋転軸が回転できるように設けられ、前記旋転軸には前記斜ロッドが固定的に設置され、前記トーションロッドの上端壁には移動溝が設けられ、前記移動溝の中にはＴ字型ブロックがスライドできるように設けられ、前記Ｔ字型ブロックの下端には前記汚染除去機構に近接している一端が前記汚染除去溝の中に位置する移動ロッドが固定的に設置され、前記汚染除去溝の後端壁には浮力溝が設けられ、前記浮力溝の中には浮力ブロックがスライドできるように設けられ、前記浮力ブロックの前端には引縄ブロックが固定的に設置され、前記引縄ブロックと前記運動ブロックとがロープによって固定され、
前記汚染除去機構が前記三角ブロックを含み、前記汚染除去溝の左右端壁には旋転溝が左右に対称的に設けられ、前記左側旋転溝の後端壁には回転ロッドが回転できるように設けられ、前記回転ロッドには板が固定的に設置され、前記汚染除去溝の左右端壁の間には前記汚染除去軸が回転できるように設けられ、前記汚染除去軸には前記駆動傘歯車と噛み合う伝動傘歯車が固定的に設置され、前記汚染除去軸の中には弧状溝が左右に対称的に設置され、右側の前記弧状溝の後端壁には圧力軸が回転できるように設けられ、前記圧力軸の前端が前記汚染除去溝の中に位置し、前記圧力軸の前端には手袋台が固定的に設置され、前記弧状溝において前記圧力軸の上端面には圧力溝が設けられ、前記圧力溝の下端壁には圧力ばねが固定的に設置され、前記圧力ばねの上端には前記三角ブロックが固定的に設置され、前記圧力軸の右側には前記弧状溝とスライドできるように連結される移動ブロックが設けられ、前記移動ブロックの右端面には前記弧状溝の右端壁と固定的に設置される移動ばねが上下に対称的に設けられ、前記移動ブロックの右端面の中心には右端が前記Ｕ字型溝の中に位置する前記横ロッドが固定的に設置され、前記汚染除去溝の後端壁には排水器が設けられ、
前記板を開け、二つの耐熱手袋を前記手袋台に嵌め、両側へ二つの前記手袋台を回し、前記圧力軸を回転駆動させ、更に前記三角ブロックを駆動して前記移動ブロックの場所まで回転させ、前記移動ブロックを押し動かして運動させ、前記汚染除去溝の中に汚染除去液を注ぎ、一定程度注いだら、前記引縄ブロックが浮力を受けて上昇し、これにより前記ロープを引き動かし、前記ロープが前記運動ブロックを引き動かして上昇させ、前記運動ブロックが前記梯形ブロックを駆動して前記一方向ブロックの上側まで上昇させ、これにより前記斜ロッドを駆動して上昇させ、前記斜ロッドが前記横ロッドによって押し動かされて回転し、二つの前記斜ロッドが同時に回転し、これにより前記ロングロッドを押し動かして上昇させ、一つだけの前記斜ロッドが回転する時、前記ロングロッドが回転するものの、上昇はしなく、前記ロングロッドが前記プラグを駆動して上昇させて前記コンセントの中に挿し込ませ、前記電線の伝導を通じて、前記バッテリーによって前記駆動モータに電気を通して起動させ、これにより前記駆動軸を回転駆動させ、前記駆動軸が前記駆動傘歯車を回転駆動させ、前記駆動傘歯車と前記伝導傘歯車との噛み合いによって、前記伝動傘歯車を回転駆動させ、これにより前記汚染除去軸を回転駆動させ、前記汚染除去軸が耐熱手袋を回転駆動させ、これにより耐熱手袋に対して旋転式汚染除去を行い、汚染除去を終えて乾燥しようとする場合、前記板を閉め、前記排水器をオンして防水を行い、前記引縄ブロックを駆動して下降させ、前記ロープを緩め、前記梯形ブロックが下降して前記一方向ブロックによって阻まれ、液体を全部排出した時、手袋が引き続き旋転して乾燥を行い、
汚染除去を終えて乾燥しなくていい場合、前記板を開け、前記位置決めロッドが復帰し、前記トーションバーを駆動して回転させ、前記一方向ブロックが前記梯形ブロックを阻まない場所まで運動し、液体を排出した時、手袋の回転が停止することを特徴とする耐熱手袋用汚染除去装置。